(57)【要約】【課題】ワイヤを介さずにハンドルの回動を打球アームに伝達することのできる遊技機の発射操作装置を提供するとともに、従来、巻きバネによって行なわれていた打球強度の調節を圧縮ばねにより行なえるようにした発射操作装置を提供すること。【解決手段】内部に圧縮バネ１５及びシャフト１４、１８を設けた強度調節機構８の端部を打球アーム２０のアーム部２０Ａに係合させ、前記強度調節機構８の他方の端部にハンドルの回動と共に連動するよう設けられたカム１１が前記強度調節機構内部のシャフト１４を押し上げるように配置することによって圧縮バネによる打球強度の調節を可能とした。又、巻きバネ３１の先端部にギア３２を設け、前記ギア３２を介してハンドルの回動を巻きバネ３１に伝達することによって巻きバネ３１のトルクを変化させ、打球アーム２０の付勢力を調節するようにした。【選択図】図１
0003106602.tif 000002
【実用新案登録請求の範囲】
【請求項１】
遊技機の発射操作装置において、ハンドルの回動によって打球アームの打球強度を調節可能とする強度調節機構を、打球アームと同軸上に配置された巻きバネと、前記巻きバネの先端部にギアを設けるとともに前記ギアを介してハンドルの回動を巻きバネに伝達させる伝達機構と、により構成することにより、巻きバネのトルクを変化させ打球アームの付勢力調節を可能としたことを特徴とする発射操作装置。
【請求項２】
遊技機の発射操作装置において、ハンドルの回動によって打球アームの打球強度を調節可能とする強度調節機構を、内部に圧縮バネとシャフトとを設け、さらにハンドルの回動と連動するように設けられたカムと係合させることにより圧縮バネのトルクを変化させ打球アームの付勢力調節を可能としたことを特徴とする発射操作装置。
【請求項３】
強度調節機構と打球アームの係合部に圧縮バネのトルク調節手段を設けたことを特徴とする請求項２記載の発射操作装置。
【請求項４】
強度調節機構と打球アームの係合部を複数箇所設けたことを特徴とする請求項２又は請求項３の発射操作装置。
【考案の詳細な説明】
【技術分野】
【０００１】
本考案は、パチンコ機等の遊技機において発射装置が発射する打球の飛距離を調整するための遊技機の発射操作装置に関するものである。
【背景技術】
【０００２】
パチンコ等のモータ駆動式の発射操作装置として、例えば打球アームと同軸上のドラムに巻きバネを巻き付け、この巻きバネの力により打球アームを駆動する形式のものがある。この打球アームには周知のとおりのカムローラが固定されており、モータにより回転されるカムをこのカムローラと係合させることによって巻きバネに抗して打球アームを回転させ、カムからカムローラが外れた時に巻きバネの力により発射動作を行わせるようになっている。
【０００３】
この巻きバネの先端は打球アームと同軸上のラチェット板に固定され、基端はバネ強度調整用円板に固定されている。そしてこのバネ強度調整用円板と遊技者が操作するハンドルのドラムとの間はワイヤで連結されており、遊技者のハンドル操作によってバネ強度調整用円板を回転させ、巻きバネの強度を調整することができるようになっている。
【０００４】
また打球アームの軸に一体に固着された第２ラチェット板と第１ラチェット板とは、常にバネの力によってかみ合っているが、パチンコ店側で弾球の強弱を調整したい場合には、強度調整用つまみを押し込んでバネに抗して第１ラチェット板を第２ラチェット板から離し、両者のかみ合い角度を変化させることができるようになっている。
【０００５】
しかしながら、ワイヤを用いて巻きバネの調整を行なうようにすると、高トルクの場合は伝達できないという問題点がある。
【０００６】
さらに特許文献１では店側が基底的な打球強度を変化させることができるよう、打球アームに対するカムローラの角度を変化させることにより、打球力を調整できるようにした発明が開示されている。
【０００７】
【特許文献１】特開平１１−４９３８
【考案の開示】
【考案が解決しようとする課題】
【０００８】
本考案ではワイヤを介さずにハンドルの回動を打球アームに伝達することのできる遊技機の発射操作装置を提供することを目的としている。
【０００９】
又、従来、巻きバネによって行なわれていた打球強度の調節を圧縮ばねにより行なえるようにした発射操作装置を提供することにより、巻きバネを用いる場合に要する複雑な構造を介さずに発射操作装置を提供することを目的としている。尚、従来において圧縮バネを使用する際には、その圧縮バネの長さゆえに発射操作装置に取り付けることが困難であり、バネ定数を大きくするか、バネの長さを長くするか、といった手段でしか基底力の変化をつけることができなかったため、がさばらない巻きバネを使用することが主であったが、本考案では上記課題を解決し、圧縮バネを用いた強度調整手段を提供することを目的としている。
【課題を解決するための手段】
【００１０】
遊技機の発射操作装置において、ハンドルの回動によって打球アームの打球強度を調節可能とする強度調節機構を、打球アームと同軸上に配置された巻きバネと、前記巻きバネの先端部にギアを設けるとともに前記ギアを介してハンドルの回動を巻きバネに伝達させる伝達機構と、により構成することにより、巻きバネのトルクを変化させ打球アームの付勢力調節を可能としたことを特徴とする発射操作装置を提供することにより、ワイヤを介さずにハンドルの回動を打球アームに伝達することができる。
【００１１】
又、遊技機の発射操作装置において、ハンドルの回動によって打球アームの打球強度を調節可能とする強度調節機構を、内部に圧縮バネとシャフトとを設け、さらにハンドルの回動と連動するように設けられたカムと係合させることにより圧縮バネのトルクを変化させ打球アームの付勢力調節を可能としたことを特徴とする発射操作装置を提供することにより、圧縮バネによる打球強度調整を可能とした。
【００１２】
さらに、従来、圧縮バネを用いる際にバネ定数やバネ長を変化させるしかできなかった基底力の調整を、強度調節機構と打球アームの係合部に圧縮バネのトルク調節手段を設けたことを特徴とする発射操作装置を提供することによって調節可能となるようにした。
【００１３】
同様に、強度調節機構と打球アームの係合部を複数箇所設けることによって、従来、圧縮バネを用いる際にバネ定数やバネ長を変化させるしかできなかった基底力の調整を可能とした。
【考案の効果】
【００１４】
遊技者が弾球の打球強度を調節するためにハンドルを回動する際に、その回動を強度調節機構に伝達する手段において、ワイヤを用いずギアやベルトを使用することにより、その回動を的確に強度調節機構に伝達することができるとともに、高トルクであっても伝達可能である。
【００１５】
強度調節機構として従来多く用いられている巻きバネ以外の手段として圧縮バネを使用することによって、巻きバネを使用する際に要していた複雑な構造を介さず、より単純な構造とすることができる。
【００１６】
店側が打球の基底力を変更可能とできるよう、打球アームのストロークと圧縮バネのトルクを変更可能とすることにより、弾球発射の様々なバリエーションを提供することができる。
【考案を実施するための最良の形態】
【００１７】
以下に本考案の好ましい実施形態を説明する。図４は遊技機としてのパチンコ機１を示す正面図であり、外枠２に蝶着した前面枠３に、下皿４と、打球の飛距離を調整する発射操作装置７と、上皿５と、ガラスを装着したガラス枠６とが設けられている。また、ガラス枠６の後方には、図示しない遊技盤が配置されており、打球アーム２０から弾発された打球が、遊技盤上で流下するようになっている。
【００１８】
図１は本考案の発射操作装置である。本発射操作装置７は遊技者が自由に打球速度を変化し得るためのハンドルと、ハンドルの回転と共に回動するカム１１と、弾球４を発射するための打球アーム２０と、打球アーム２０に弾球４を供給するための弾球供給ケース２２と、ハンドルの回転量に応じて弾球４の打球強度を調節するための強度調節機構８と、一定の間隔で打球アーム２０が弾球４を発射するよう、カム２１を回転させるためのステッピングモータ２４と、からなる。
【００１９】
ハンドル軸９はハンドルの回動と連動するように装着されており、ハンドル軸挿入孔１２にハンドル軸９を挿入し係止すると、カム１１も連動して回動するように構成されている。そのため遊技者がハンドルを捻ると、そのハンドル軸９の回動と連動してカム１１が回転し、打球強度の調節を行なうことができる。
【００２０】
図２は本考案の発射操作装置７の側面図である。この図に示すように、打球アーム２０はボールベアリング２５と連結しており、打球アーム２０が回動するのを支えている。つまりカム２１がステッピングモータ２４を駆動力として回転しており、該カム２１によって打球アーム２０は連結点２３を基点にして、回動することとなる。
【００２１】
次に強度調節機構８について説明する。強度調節機構８はバネ筒１６内に圧縮バネ１５を有し、その端部にはシャフト１４、１８を有しており、圧縮バネ１５はそれらシャフトによって支持されている。一方のシャフト１４はシャフト係止部１３と結合しており、シャフト係止部１３はカム１１と係合するように配置されている。他方のシャフト１８は固着部１７と結合しており、該固着部１７が打球アーム２０のアーム部２０Ａに設けられている孔１９に固着するように設けられている。
【００２２】
孔１９は打球アーム２０の長手方向に複数設けられており、強度調節機構８と打球アーム２０の固着部分を、これらの孔１９の位置で変化させることによって打球アーム２０の打球強度を調節することができる。つまり、強度調節機構８と係合する位置を打球部２０Ｂに近い孔、例えば１９Ａにすると、打球アーム２０のストロークが小さくなるため、打球アーム２０の打球強度は弱くなるが、遠い孔、例えば１９Ｂにするとストロークは大きくなるため、打球強度は大きくなる。このように強度調節機構８と打球アーム２０の係合部を複数箇所設けることによって店側が基底力を適宜調節できるようにしている。
【００２３】
又、強度調節機構８の打球アーム側の端部に圧縮バネ１５のトルク調節手段を設けることによって、店側がバネの基底力を変更可能とすることができる。つまり、強度調節機構８と打球アーム２０の固着部１７の長手方向の大きさを長くすることで、圧縮バネ１５の基底力を高めることができるのである。
【００２４】
一方、遊技者が行なうハンドル回動に伴う調節を打球アーム２０に伝達する手段について述べると、カム１１が回転することにより、カム１１の上部にあるシャフト係止部１４がカム１１に押されてはシャフト１３を押し上げることにより、圧縮バネ１５を縮める。すると圧縮バネ１５のトルクが大きくなり、打球アーム２０の打球強度を強めることとなる。尚、カム１１は圧縮バネ１５の密着高さまで圧縮することができる。使用する圧縮バネのバネ定数が大きくなればトルクが大きくなり、基底力を強めることができ、圧縮バネの長さを大きくすれば強度調節の範囲を広げることができるのは言うまでもない。
【００２５】
弾球供給ケース２２は発射操作装置７をパチンコ遊技機１に取り付ける際に、弾球４が流下するよう、傾けて配置されている。そのため打球アーム２０が弾球４を打つと、次の弾球４が流下し、ステッピングモータ２４がカム２１を回転させるスピードに合わせて弾球を発射することとなる。
【００２６】
上記機構を設けることによって、圧縮バネを用いた場合であっても、巻きバネを使用した場合と変わらない打球強度を提供することができるのである。
【実施例】
【００２７】
次に本考案の第２の実施例を説明する。本実施例は従来から使用されている巻きバネを使用し、打球アームの打球強度を調節する場合に、ワイヤによらずハンドルの回動を伝達することができる装置に関するものである。図３は巻きバネの先端部にギアを設けるとともに前記ギアを介してハンドルの回動を巻きバネに伝達させる伝達機構を表している。
【００２８】
巻きバネを利用した従来の発射操作装置の機構は上述した通りであるが、従来、ハンドルの回動をワイヤによってバネに伝達していた手段をギアに変えて伝達することにより、高トルクの力であっても確実に伝達できるようにしたものである。
【００２９】
打球アーム２０の同軸上に巻きバネ３１は配置されており、その先端にはギア３２が固定されており、このギア３２がハンドル軸９の回動に連動するように配置されているので、遊技者のハンドル操作により打球強度が調節できる。
【００３０】
ギア３２にハンドルの回動を伝達する機構としては、ハンドルの回動と連動するギア４１とかみ合うようにギア３２を配置することにより可能となる。尚、その伝達を伝える機構はベルト伝導によるものでもよい。つまり、ギア４１の同軸上にプーリーを配置するとともに、ハンドル軸９の回動と連動するようプーリーを配置し、それらプーリーをベルトで介することによってハンドルの回動を巻きバネに伝達することもできる。
【図面の簡単な説明】
【００３１】
【図１】圧縮バネを用いた発射操作装置
【図２】圧縮バネを用いた発射操作装置の側面図
【図３】ギアを用いてハンドルの回動を伝達する機構
【図４】パチンコ遊技機
【符号の説明】
【００３２】
１  パチンコ遊技機
２  外枠
３  前面枠
４  下皿
５  上皿
６  ガラス枠
７  発射操作装置
８  強度調節機構
９  ハンドル軸
１０  弾球
１１  カム
１２  ハンドル軸挿入孔
１３  シャフト係止部
１４  シャフト
１５  圧縮バネ
１６  バネ筒
１７  固着部
１８  シャフト
１９、１９Ａ、１９Ｂ  孔
２０、２０Ａ  打球アーム
２１  カム
２２  弾球供給装置
２３  連結点
２４  ステッピングモータ
２５  ボールベアリング
３１  巻きバネ
３２  ギア
４１  ギア
【図１】
0003106602.tif 000003
【図２】
0003106602.tif 000004
【図３】
0003106602.tif 000005
【図４】
0003106602.tif 000006
【手続補正書】
【提出日】平成16年7月15日(2004.7.15)
【手続補正１】
【補正対象書類名】図面
【補正対象項目名】図１
【補正方法】変更
【補正の内容】
【図１】
0003106602.tif 000007